【手続補正書】
【提出日】平成23年8月17日(2011.8.17)
【手続補正１】
【補正対象書類名】明細書
【補正対象項目名】０００９
【補正方法】変更
【補正の内容】
【０００９】
前記目的を達成するために、請求項１記載の発明は、複数のページからなる原稿を読み取る読取手段と、前記原稿の各ページを読み取る際に、読み取るページのページ数をカウントするカウント手段と、前記原稿の各ページをページ毎に異なるファイルとして蓄積する際に、蓄積する各ファイルのファイル名に前記カウント手段でカウントされたページ数に基づく連番を付与する連番付与手段と、前記原稿の各ページを前記連番付与手段で連番が付与されたファイル名のファイルとして蓄積する蓄積手段と、前記カウント手段でカウントされたページ数が所定の桁数を超える場合に、前記原稿のうちのページ数が前記所定の桁数までの各ページを、前記連番付与手段で連番が付与されたファイル名のファイルとして前記蓄積手段に蓄積するように制御する制御手段と、を備えたことを特徴とする。
【手続補正２】
【補正対象書類名】明細書
【補正対象項目名】００１０
【補正方法】変更
【補正の内容】
【００１０】
請求項２記載の発明は、請求項１の画像形成装置において、前記カウント手段でカウントされたページ数が所定の桁数を超える場合に、前記原稿のうちの前記読取手段で読み取ったページを前記蓄積手段に蓄積するかを選択可能な選択手段を備え、前記制御手段は、前記選択手段により前記蓄積手段での蓄積が選択された場合に、前記原稿のうちのページ数が前記所定の桁数までの各ページを、前記連番付与手段で連番が付与されたファイル名のファイルとして前記蓄積手段に蓄積するように制御することを特徴とする。
【手続補正３】
【補正対象書類名】明細書
【補正対象項目名】００１１
【補正方法】変更
【補正の内容】
【００１１】
請求項３記載の発明は、複数のページからなる原稿を読み取る読取手段と、前記原稿の各ページを読み取る際に、読み取るページのページ数をカウントするカウント手段と、前記原稿の各ページをページ毎に異なるファイルとして機器外部へ送信する際に、送信する各ファイルのファイル名に前記カウント手段でカウントされたページ数に基づく連番を付与する連番付与手段と、前記原稿の各ページを前記連番付与手段で連番が付与されたファイル名のファイルとして機器外部へ送信するネットワーク通信手段と、前記カウント手段でカウントされたページ数が所定の桁数を超える場合に、前記原稿のうちのページ数が前記所定の桁数までの各ページを、前記連番付与手段で連番が付与されたファイル名のファイルとして前記機器外部へ送信するように制御する制御手段と、を備えたことを特徴とする。
【手続補正４】
【補正対象書類名】明細書
【補正対象項目名】００１２
【補正方法】変更
【補正の内容】
【００１２】
請求項４記載の発明は、請求項３の画像形成装置において、前記カウント手段でカウントされたページ数が所定の桁数を超える場合に、前記原稿のうちの前記読取手段で読み取ったページを前記機器外部へ送信するかを選択可能な選択手段を備え、前記制御手段は、前記選択手段により前記機器外部への送信が選択された場合に、前記原稿のうちのページ数が前記所定の桁数までの各ページを、前記連番付与手段で連番が付与されたファイル名のファイルとして前記機器外部へ送信するように制御することを特徴とする。
【手続補正５】
【補正対象書類名】明細書
【補正対象項目名】００１３
【補正方法】変更
【補正の内容】
【００１３】
請求項５記載の発明は、請求項１〜４の何れか１項において、前記制御手段は、前記カウント手段でカウントされたページ数が所定の桁数を超える場合に、前記読取手段による前記原稿の読み取りを中止するように制御することを特徴とする。
【手続補正６】
【補正対象書類名】明細書
【補正対象項目名】００１４
【補正方法】変更
【補正の内容】
【００１４】
請求項６記載の発明は、請求項１〜５の何れか１項において、前記ファイル名を入力するための入力手段を備え、前記連番付与手段は、前記入力手段により前記ファイル名が入力された場合には、当該入力されたファイル名に連番を付与し、前記ファイル名が入力されない場合には、年月日時刻からなるファイル名に連番を付与することを特徴とする。
【手続補正７】
【補正対象書類名】明細書
【補正対象項目名】００１５
【補正方法】変更
【補正の内容】
【００１５】
請求項１においては、カウントされたページ数が桁あふれを起こして所定の桁数を超える場合に、原稿のうちのページ数が所定の桁数までの各ページを連番が付与されたファイル名のファイルとして蓄積するため、桁あふれを起こすまでの各ページに対して連番の桁数を指定してユーザが欲するファイル名をファイルに付加することができる。
【手続補正８】
【補正対象書類名】明細書
【補正対象項目名】００１６
【補正方法】変更
【補正の内容】
【００１６】
請求項２においては、請求項１で桁あふれを起こすまでの各ページを連番が付与されたファイル名のファイルとして蓄積する際、カウントされたページ数が所定の桁数を超える場合に、読取手段で読み取ったページを蓄積手段に蓄積するかを選択手段により選択して蓄積が選択された場合に、制御手段が蓄積手段への蓄積を制御するため、予想しないファイル名が生成されることを防いでユーザが欲するファイル名を重複による上書きを防いでファイルに付加することができる。
【手続補正９】
【補正対象書類名】明細書
【補正対象項目名】００１７
【補正方法】変更
【補正の内容】
【００１７】
請求項３においては、カウントされたページ数が桁あふれを起こして所定の桁数を超える場合に、原稿のうちのページ数が所定の桁数までの各ページを連番が付与されたファイル名のファイルとして機器外部へ送信するため、桁あふれを起こすまでの各ページに対して連番の桁数を指定してユーザが欲するファイル名をファイルに付加して機器外部で管理することができる。
【手続補正１０】
【補正対象書類名】明細書
【補正対象項目名】００１８
【補正方法】変更
【補正の内容】
【００１８】
請求項４においては、請求項３で桁あふれを起こすまでの各ページを連番が付与されたファイル名のファイルとして機器外部へ送信する際、カウントされたページ数が所定の桁数を超える場合に、読取手段で読み取ったページを機器外部へ送信するかを選択手段により選択して送信が選択された場合に、制御手段が機器外部への送信を制御するため、予想しないファイル名が生成されることを防いでユーザが欲するファイル名を重複による上書きを防いでファイルに付加して機器外部で管理することができる。
【手続補正１１】
【補正対象書類名】明細書
【補正対象項目名】００１９
【補正方法】変更
【補正の内容】
【００１９】
請求項５においては、請求項１〜４の何れか１つで桁あふれを起こした場合に制御手段が読取手段での読み取りを中止するため、ユーザの意図しない連番と桁数になるのを防ぐことができる。
【手続補正１２】
【補正対象書類名】明細書
【補正対象項目名】００２０
【補正方法】変更
【補正の内容】
【００２０】
請求項６においては、請求項１〜４の何れか１つで連番付与手段によりファイル名が入力された場合にはファイル名に連番を付与し、ファイル名が入力されなかった場合には年月日時刻からなるファイル名に連番を付与するため、蓄積先や送信先に既に存在するファイル名との重複を避けることができる。
【手続補正１３】
【補正対象書類名】明細書
【補正対象項目名】００３３
【補正方法】変更
【補正の内容】
【００３３】
ここで指定された桁数がファイル名の連番として付加される桁数となる。付加しようとする数値が指定された桁数を全て満たさない場合には、指定された桁数になるように上位桁を０で埋める。例えば４桁の指定で１００００未満の番号である５００の場合には、付加される連番は“０５００”となる。
【手続補正１４】
【補正対象書類名】明細書
【補正対象項目名】００３７
【補正方法】変更
【補正の内容】
【００３７】
本発明は、自動付加する連番をユーザが開始番号を指定可能であり、また、その連番の桁数を指定できることにより、連番といえどもある程度の自由度を得ることができる。さらに、連番の桁数を指定できるため、例として４桁を必ず付加することで先の例のファイル名は「ファイル００９９．ｔｘｔ」と「ファイル０１００．ｔｘｔ」と１００００未満の場合には４桁になるよう０で埋められるため、昇順ソートでも順序は変わらない。また、桁数が固定できることでユーザが予想しないファイル名が生成されることを防ぐことができる。
【手続補正１５】
【補正対象書類名】特許請求の範囲
【補正対象項目名】全文
【補正方法】変更
【補正の内容】
【特許請求の範囲】
【請求項１】
複数のページからなる原稿を読み取る読取手段と、
前記原稿の各ページを読み取る際に、読み取るページのページ数をカウントするカウント手段と、
前記原稿の各ページをページ毎に異なるファイルとして蓄積する際に、蓄積する各ファイルのファイル名に前記カウント手段でカウントされたページ数に基づく連番を付与する連番付与手段と、
前記原稿の各ページを前記連番付与手段で連番が付与されたファイル名のファイルとして蓄積する蓄積手段と、
前記カウント手段でカウントされたページ数が所定の桁数を超える場合に、前記原稿のうちのページ数が前記所定の桁数までの各ページを、前記連番付与手段で連番が付与されたファイル名のファイルとして前記蓄積手段に蓄積するように制御する制御手段と、
を備えたことを特徴とする画像処理装置。
【請求項２】
請求項１記載の画像処理装置において、
前記カウント手段でカウントされたページ数が所定の桁数を超える場合に、前記原稿のうちの前記読取手段で読み取ったページを前記蓄積手段に蓄積するかを選択可能な選択手段を備え、
前記制御手段は、前記選択手段により前記蓄積手段での蓄積が選択された場合に、前記原稿のうちのページ数が前記所定の桁数までの各ページを、前記連番付与手段で連番が付与されたファイル名のファイルとして前記蓄積手段に蓄積するように制御すること
を特徴とする画像処理装置。
【請求項３】
複数のページからなる原稿を読み取る読取手段と、
前記原稿の各ページを読み取る際に、読み取るページのページ数をカウントするカウント手段と、
前記原稿の各ページをページ毎に異なるファイルとして機器外部へ送信する際に、送信する各ファイルのファイル名に前記カウント手段でカウントされたページ数に基づく連番を付与する連番付与手段と、
前記原稿の各ページを前記連番付与手段で連番が付与されたファイル名のファイルとして機器外部へ送信するネットワーク通信手段と、
前記カウント手段でカウントされたページ数が所定の桁数を超える場合に、前記原稿のうちのページ数が前記所定の桁数までの各ページを、前記連番付与手段で連番が付与されたファイル名のファイルとして前記機器外部へ送信するように制御する制御手段と、
を備えたことを特徴とする画像処理装置。
【請求項４】
請求項３記載の画像処理装置において、
前記カウント手段でカウントされたページ数が所定の桁数を超える場合に、前記原稿のうちの前記読取手段で読み取ったページを前記機器外部へ送信するかを選択可能な選択手段を備え、
前記制御手段は、前記選択手段により前記機器外部への送信が選択された場合に、前記原稿のうちのページ数が前記所定の桁数までの各ページを、前記連番付与手段で連番が付与されたファイル名のファイルとして前記機器外部へ送信するように制御すること
を特徴とする画像処理装置。
【請求項５】
請求項１〜４の何れか１項記載の画像処理装置において、前記制御手段は、前記カウント手段でカウントされたページ数が所定の桁数を超える場合に、前記読取手段による前記原稿の読み取りを中止するように制御することを特徴とする画像処理装置。
【請求項６】
請求項１〜５の何れか１項記載の画像処理装置において、
前記ファイル名を入力するための入力手段を備え、
前記連番付与手段は、前記入力手段により前記ファイル名が入力された場合には、当該入力されたファイル名に連番を付与し、前記ファイル名が入力されない場合には、年月日時刻からなるファイル名に連番を付与することを特徴とする画像処理装置。
【手続補正１６】
【補正対象書類名】図面
【補正対象項目名】図８
【補正方法】変更
【補正の内容】
【図８】
2011181112.tif 000001